(57)【要約】【課題】手の動きの可視化を図れるマットレスシーツを提供する。【解決手段】マットレス１１を覆うシート状の布地１２を備えたマットレスシーツ１０において、布地１２は、全体又は一部が透光性を有し、布地１２には、マットレスシーツ１０のマットレス１１への取り付けの際に位置決めとして用いられるマーカー１３が設けられ、布地１２の左右で、マーカー１３のパターンが異なる。布地１２が透光性を有するため、マットレス１１にマットレスシーツ１０を取り付ける者の手とその取り付けを見ている者の間にマットレスシーツ１０があっても、取り付けを見ている者は、取り付けを行っている者の手を視認することができる。【選択図】図１
2014158615.tif 000002
【特許請求の範囲】
【請求項１】
マットレスを覆うシート状の布地を備えたマットレスシーツにおいて、
前記布地は、全体又は一部が透光性を有し、
前記布地には、該マットレスシーツの前記マットレスへの取り付けの際に位置決めとして用いられるマーカーが設けられ、前記布地の左右で、前記マーカーのパターンが異なることを特徴とするマットレスシーツ。
【請求項２】
請求項１記載のマットレスシーツにおいて、前記マーカーは、直線状のマーカー片及び点状のマーカー片を有し、前記布地の左右の一方には前記直線状のマーカー片のみが配置され、他方には前記直線状のマーカー片及び前記点状のマーカー片が配置されていることを特徴とするマットレスシーツ。
【請求項３】
請求項１又は２記載のマットレスシーツにおいて、前記布地は、全体に該布地の長手方向を示す模様を備えていることを特徴とするマットレスシーツ。
【請求項４】
請求項１〜３のいずれか１項に記載のマットレスシーツにおいて、前記布地は、綿、麻及び絹の少なくとも１つを含有することを特徴とするマットレスシーツ。
【発明の詳細な説明】
【技術分野】
【０００１】
本発明は、マットレスを覆うマットレスシーツに関する。
【背景技術】
【０００２】
シート状のマットレスシーツ（以下、単に「マットレスシーツ」ともいう）は、マットレスを人が利用することによって、マットレスシーツにたるみが生じないように、マットレスに取り付けられることが重要である。これは、マットレスシーツのたるみが、利用者に不快感を与えるだけでなく、臥床患者に褥瘡を招くしわの原因となるためである。
従って、特に医療現場や介護施設等でベッドメイキングを行う者にとっては、マットレスシーツの正しい取り付け方を習得することが必要とされている。
【０００３】
マットレスシーツの取り付けを習得するには、指導者が取り付けを行って、学ぶ者にその正しい方法を見せた後に、その者に実際にマットレスシーツを取り付けさせるのが効果的である。そして、マットレスシーツの取り付けにあたっては、マットレスシーツの特定の箇所を重ね合わせることや、特定の箇所を持って作業を行うことが求められるので、取り付け方を学ぶ者にこれらの箇所を理解させることで正しい方法を効率的に習得させることができる。
そこで、マットレスシーツ（シーツ）の特定の箇所に目印を設けた具体例が、特許文献１、２に記されており、この目印を利用して、マットレスシーツの取り付けを行う方法や、マットレスシーツの折りたたみを行う方法が開示されている。指導者は、マットレスシーツの取り付けを学ぶ者に対し、この目印を基に、マットレスシーツを持つ位置や折る位置等を正確に伝えることが可能である。
【先行技術文献】
【特許文献】
【０００４】
【特許文献１】特開２００３−３８３２３号公報
【特許文献２】特許第４９８１９８７号公報
【発明の概要】
【発明が解決しようとする課題】
【０００５】
しかしながら、マットレスシーツを取り付ける際には、指導者の取り付けを見る者が、マットレスシーツによって視界を遮られ、取り付けを行っている指導者の手の動きを見ることができない工程があり、これは、特許文献１、２のマットレスシーツを用いた場合も例外ではなかった。
また、実際に、手の動きを視認できないことが、取り付け方を学ぶ者の習得を遅らせる１つの大きな原因となっていることが、本願の発明者らの研究や実験によって検証された。
本発明は、かかる事情に鑑みてなされるもので、手の動きの可視化を図れるマットレスシーツを提供することを目的とする。
【課題を解決するための手段】
【０００６】
前記目的に沿う本発明に係るマットレスシーツは、マットレスを覆うシート状の布地を備えたマットレスシーツにおいて、前記布地は、全体又は一部が透光性を有し、前記布地には、該マットレスシーツの前記マットレスへの取り付けの際に位置決めとして用いられるマーカーが設けられ、前記布地の左右で、前記マーカーのパターンが異なる。
【０００７】
本発明に係るマットレスシーツにおいて、前記マーカーは、直線状のマーカー片及び点状のマーカー片を有し、前記布地の左右の一方には前記直線状のマーカー片のみが配置され、他方には前記直線状のマーカー片及び前記点状のマーカー片が配置されているのが好ましい。
【０００８】
本発明に係るマットレスシーツにおいて、前記布地は、全体に該布地の長手方向を示す模様を備えているのが好ましい。
【０００９】
本発明に係るマットレスシーツにおいて、前記布地は、綿、麻及び絹の少なくとも１つを含有するのが好ましい。
【発明の効果】
【００１０】
本発明に係るマットレスシーツは、布地の全体又は一部が透光性を有するので、マットレスシーツをマットレスに取り付ける者の手とその取り付けを見ている者の間にマットレスシーツがあっても、取り付けを見ている者は、取り付けを行っている者の手の動きを視認可能である。
また、布地の左右で、マーカーのパターンが異なるため、一枚のマットレスシーツを用いて、マットレスシーツの取り付けを学ぶ者に対し、異なった難易度でその取り付けを学習させることや、異なった方式の取り付け方を習得させることができる。
【図面の簡単な説明】
【００１１】
【図１】本発明の一実施の形態に係るマットレスシーツの正面図である。
【図２】同マットレスシーツの背面図である。
【図３】（Ａ）、（Ｂ）、（Ｃ）はそれぞれ、同マットレスシーツの平面図、底面図及び左側面図である。
【図４】同マットレスシーツをマットレスに取り付けた状態を示す説明図である。
【図５】（Ａ）、（Ｂ）は、同マットレスシーツのマットレスへの取り付け方向を示す説明図である。
【図６】（Ａ）、（Ｂ）は、同マットレスシーツのマットレスへの取り付け方向を示す説明図である。
【図７】変形例に係るマットレスシーツの正面図である。
【発明を実施するための形態】
【００１２】
続いて、添付した図面を参照しつつ、本発明を具体化した実施の形態につき説明し、本発明の理解に供する。
図１〜図４に示すように、本発明の一実施の形態に係るマットレスシーツ１０は、マットレス１１を覆うシート状の布地１２を備えている。
布地１２は全体が透光性を有し、本実施の形態において、その透光率（光の透過率）は２０〜８０％である。
【００１３】
布地１２が透光性を有しているため、マットレスシーツ１０をマットレス１１へ取り付ける者（以下、「実施者」ともいう）の手とその取り付けを見学する者（以下、単に「見学者」ともいう）の間にマットレスシーツ１０がある状態でも、見学者は、実施者の手の動きを正確に視認することができる。
ここで、透光率２０〜８０％の布地１２を採用しているのは、透光率が２０％未満であると、見学者が実施者の手の動きを見づらくなり、透光率が８０％を超えると、マットレスシーツ１０の折り目や重なり合っている部分が視認しづらくなるためである。実験では、布地１２の透光率を３０〜７０％の範囲にするのが更に好ましいことが確認されている。
【００１４】
また、布地１２には、図１、図２に示すように、正面側（表側）に、マットレスシーツ１０をマットレス１１に取り付ける際に位置決めに用いられるマーカー１３が設けられている。マーカー１３は、図１、図３（Ａ）、（Ｂ）、（Ｃ）に示すように、布地１２に縫い付けられた布片からなり、布地１２が白又は淡い黄色あるいは水色等の淡色であるのに対し、マーカー１３は紺色又は赤あるいは黒の濃色であり、実施者及び見学者がマーカー１３を容易に視認可能な色彩を備えている。このマーカー１３は、位置決めの他、実施者が掴んだり押えたりする箇所の目印として利用される。
なお、布地１２は全体が透光性を有するので、図２に示すように、マットレスシーツ１０を背面側から見てもマーカー１３を視認することができる。
【００１５】
マーカー１３は、図１、図２に示すように、直線状のマーカー片１４、１４ａ、１４ｂ、１４ｃ、１４ｄ、１４ｅ及び点状のマーカー片１５、１５ａ、１５ｂ、１５ｃ、１５ｄ、１５ｅ、１５ｆ、１５ｇ、１５ｈを有している。本実施の形態では、点状のマーカー片１５、１５ａ、１５ｂ、１５ｃ、１５ｄ、１５ｅ、１５ｆ、１５ｇ、１５ｈは、円形であるが、これに限定されず、例えば四角形であってもよい。
直線状のマーカー片１４ａ、１４ｂ、１４ｃ、１４ｄはそれぞれ、マットレスシーツ１０の長手方向（縦方向）に配置され、直線状のマーカー片１４、１４ｅはそれぞれ、マットレスシーツ１０の短手方向（幅方向）に配置されている。直線状のマーカー片１４、１４ａ、１４ｂ、１４ｃ、１４ｄ、１４ｅは、主として位置決めに用いられ、例えば、マーカー片１４、１４ａ、１４ｂ、１４ｃ、１４ｄ、１４ｅをマットレス１１の縁部に配することで、マットレスシーツ１０をマットレス１１に位置決めすることができる。
【００１６】
また、点状のマーカー片１５、１５ａ、１５ｂは、点状のマーカー片１５、１５ａの距離と点状のマーカー片１５ａ、１５ｂの距離が等しく、かつ、点状のマーカー片１５、１５ａを結ぶ線分と点状のマーカー片１５ａ、１５ｂを結ぶ線分が垂直に接する位置に配されている。
実施者は、マットレスシーツ１０の頭部側（マットレス１１を利用する者の頭部が位置する側）をマットレス１１に取り付けるにあたり、左手で点状のマーカー片１５を掴み、右手で点状のマーカー片１５ａを掴んだ状態から、図５（Ａ）に示すように、点状のマーカー片１５ａを持ち上げ、点状のマーカー片１５を点状のマーカー片１５ｂに裏側から重ね合わせて、点状のマーカー片１５、１５ａとその他の箇所を頂点とした二等辺三角形を形成する（工程１）。次に、実施者は、点状のマーカー片１５、１５ｂを重ね合わせたまま、図５（Ｂ）に示すように、マットレス１１を置いているベッド１６とマットレス１１の間に、点状のマーカー片１５ａを入れる（工程２）。
【００１７】
この工程１、２は、マットレスシーツ１０の頭部側をマットレス１１へ確実に取り付けるためのポイントとなる部分であり、点状のマーカー片１５、１５ａ、１５ｂを目印にすることで、工程１、２を正確になすことができる。
従って、点状のマーカー片１５、１５ａ、１５ｂを、上述した位置関係に配置することは、マットレスシーツ１０の頭部側を確実に取り付ける方法を効率的に学ぶのに有効である。
なお、図５（Ａ）では、マットレスシーツ１０の表と裏を区別するため、裏側をハッチングで記している。
【００１８】
点状のマーカー片１５ｃ、１５ｄ、１５ｅも、点状のマーカー片１５、１５ａ、１５ｂと同様の位置関係にあり、点状のマーカー片１５ｃ、１５ｄの距離と点状のマーカー片１５ｃ、１５ｅの距離は等しく、点状のマーカー片１５ｃ、１５ｄを結ぶ線分と点状のマーカー片１５ｃ、１５ｅを結ぶ線分とは垂直に接する関係にある。
そして、点状のマーカー片１５ｆ、１５ｇ、１５ｈは、点状のマーカー片１５ｆ、１５ｇの距離と点状のマーカー片１５ｇ、１５ｈの距離とが、共にマットレス１１の厚みに等しく、点状のマーカー片１５ｆ、１５ｇを結ぶ線分と点状のマーカー片１５ｇ、１５ｈを結ぶ線分とは垂直に接する。
点状のマーカー片１５ｆ、１５ｇの距離と点状のマーカー片１５ｇ、１５ｈの距離が等しく、かつ、点状のマーカー片１５ｆが直線状のマーカー片１４ｅ上にあって、更に、点状のマーカー片１５ｈが直線状のマーカー片１４ｃ上にあれば、点状のマーカー片１５ｆ、１５ｈは、マットレスシーツ１０を取り付けるマットレスの厚みに合わせて、図１に示す位置とは異なる位置に設けることができる。
【００１９】
実施者は、図６（Ａ）に示すように、左手で掴んだ点状のマーカー片１５ｃを持ち上げ、右手で掴んだ点状のマーカー片１５ｅを点状のマーカー片ｄに裏側から重ね合わせて、点状のマーカー片１５ｃ、１５ｅ、１５ｇを頂点とした二等辺三角形を形成する（工程１’）。そして、実施者は、マーカー片１５ｃを下に垂らし、その後、図６（Ａ）の矢印で記したところに左手を入れ、右手で点状のマーカー片１５ｇを押える（工程２’）。次に、実施者は、左手でマットレスシーツ１０を介してマットレス１１の角部を上から下になぞって、図６（Ｂ）に示すように、点状のマーカー片１５ｆを点状のマーカー片１５ｈに重ね合わせた（工程３’）後、点状のマーカー片１５ｃをベッド１６とマットレス１１の間に入れる（工程４’）。
【００２０】
この工程１’〜工程４’は、マットレスシーツ１０の足側（マットレス１１を利用する者の足が位置する側）をマットレス１１へ確実に取り付けるためのポイントとなる部分であり、点状のマーカー片１５ｃ、１５ｄ、１５ｅ、１５ｆ、１５ｇ、１５ｈを目印にすることで、工程１’〜工程４’を正確に行うことができる。
因って、点状のマーカー片１５ｃ、１５ｄ、１５ｅ、１５ｆ、１５ｇ、１５ｈを、上述した位置関係に配置することは、マットレスシーツ１０の足側を確実に取り付ける方法を効率的に学ぶのに有効である。
図６（Ａ）では、図５（Ａ）と同様に、マットレスシーツ１０の表と裏を区別するため、裏側をハッチングで記している。
なお、工程１、２及び工程１’〜工程４’の前には、マットレスシーツ１０の頭部側と足側をそれぞれ直線状のマーカー片１４、１４ｅに沿って折り、それぞれの端部をマットレス１１とベッド１６の間に入れている。
【００２１】
このようにして、実施者は、マーカー１３を目印にマットレスシーツ１０を位置決めしたり、掴んだり、押えたりすることで、見学者にマットレスシーツ１０の取り付け方を指導することができる。そして、マットレスシーツ１０のマットレス１１への取り付けを見学していた者は、マーカー１３を目印にして、指導された手順で、自らマットレスシーツ１０の取り付けを行うことが可能である。
マーカー１３を設けることにより、見学者は、マットレスシーツの取り付け方を定量的に学べ、その取り付け方を効率的、かつ、正確に習得することができる。
【００２２】
マーカー１３は、布地１２の左右でパターンが異なり、本実施の形態では、布地１２の左右の一方（本実施の形態では右側半分）に直線状のマーカー片１４、１４ｅそれぞれの半分と直線状のマーカー片１４ｂ、１４ｄのみが配置され点状のマーカー片１５、１５ａ、１５ｂ、１５ｃ、１５ｄ、１５ｅ、１５ｆ、１５ｇ、１５ｈは配置されていない。一方、布地１２の左右の他方（本実施の形態では左側半分）には直線状のマーカー片１４、１４ｅのそれぞれの半分と直線状のマーカー片１４ａ、１４ｃに加え、点状のマーカー片１５、１５ａ、１５ｂ、１５ｃ、１５ｄ、１５ｅ、１５ｆ、１５ｇ、１５ｈが配置されている。
【００２３】
更に、布地１２の長手方向に配置された直線状のマーカー片１４ａ、１４ｂ、１４ｃ、１４ｄは、布地１２の左右の一方にある直線状のマーカー片１４ｂ、１４ｄの長さが、布地１２の左右の他方にある直線状のマーカー片１４ａ、１４ｃの略半分である。
このように、マーカー１３のパターンを左右非対称にすることにより、一枚のマットレスシーツ１０で、難易度を変えてマットレスシーツ１０の取り付け方を学ばせることや、異なる方式の取り付け方を習得させることが可能である。
【００２４】
そして、マーカー１３の配置パターンがマットレス１１の頭部側と足側で非対称になっているのは、マットレスシーツ１０が、頭部側と足側でマットレス１１への取り付け方が相違することを前提にしているためである。頭部側と足側でマットレス１１への取り付けを同じにする場合、マーカーの配置パターンを頭部側と足側で対称にしてもよい。
【００２５】
また、布地１２は、綿、麻及び絹の少なくとも１つを含有し、マットレスシーツ１０の取り付けを行う者の手とマットレスシーツ１０の間に適度な摩擦が生じるようにし、病院や介護施設で実際に使用されているマットレスシーツに近い感覚で、マットレスシーツの取り付けを行えるようにしている。
そして、布地１２は、全体に布地１２の長手方向を示す模様を備え、マットレスシーツ１０の取り付けを学ぶ者が、マットレスシーツ１０の一部と他の部分が直交した状態で重ね合わせられていることを容易に視認可能なデザインとなっている。
【００２６】
ここで、マーカーの配置は、本実施の形態に限定されず、異なるパターンを採用してもよい。マットレスシーツ１０の変形例であるマットレスシーツ２０は、図７に示すように、マットレスシーツ１０には無い４つの点状のマーカー片２１、２１ａ、２１ｂ、２１ｃを有するマーカー２２が布地１２に設けられている。
マットレスシーツ２０が点状のマーカー片２１、２１ａ、２１ｂ、２１ｃを有するのは、厚みの異なるマットレスに対応することによる。具体的には、マットレスシーツ２０の取り付けにおいて、マットレスシーツ２０の２つの異なる箇所をマットレスの背面側の角部で重ね合わせる工程があり、マットレスの厚みに応じて、点状のマーカー片１５ｆ、１５ｈ又は点状のマーカー片２１、２１ｃあるいは点状のマーカー片２１ａ、２１ｂを重ね合わせの目印として用いられるようにするためである。なお、点状のマーカー片２１、２１ａ、２１ｂ、２１ｃ以外にも点状のマーカー片１５ｆ、１５ｈ、２１、２１ａ、２１ｂ、２１ｃと同様の目的で利用される点状のマーカー片を設けてもよいのはいうまでもない。
【００２７】
更に、マットレスシーツ２０は、マットレスシーツ１０には無い直線状のマーカー片２３を備えている。直線状のマーカー片２３は、布地１２の短手方向中心で、布地１２の長手方向に沿って配置され、マットレスシーツ２０をマットレスに位置合わせする際に用いられる。マットレスへの取り付けを学ぶ者は、直線状のマーカー片２３をマットレスの幅方向中心に重ねることにより、マットレスシーツ２０の幅方向の位置決めを容易に行うことが可能である。
なお、図７において、マットレスシーツ１０と同様の構成については、同様の符号を付している。
【００２８】
以上、本発明の実施の形態を説明したが、本発明は、上記した形態に限定されるものでなく、要旨を逸脱しない条件の変更等は全て本発明の適用範囲である。
例えば、布地は一部のみが透光性を有し、他の部分が透光性を有さないものでもよく、その場合、マットレスシーツを取り付ける過程で実施者の手と見学者の間にマットレスシーツが入り込む部位を透光性のある素材にすることにより、見学者に実施者の手の動きを確実に視認させることができる。
また、マーカーは布片に限定されず、その他の素材であってもよく、例えばゴムであってもよい。更に、マーカーは布地に取り付けられるものでなく、布地において他の部分と異なる色にした部分をマーカーとして用いてもよい。
【符号の説明】
【００２９】
１０：マットレスシーツ、１１：マットレス、１２：布地、１３：マーカー、１４、１４ａ、１４ｂ、１４ｃ、１４ｄ、１４ｅ：直線状のマーカー片、１５、１５ａ、１５ｂ、１５ｃ、１５ｄ、１５ｅ、１５ｆ、１５ｇ、１５ｈ：点状のマーカー片、１６：ベッド、２０：マットレスシーツ、２１、２１ａ、２１ｂ、２１ｃ：点状のマーカー片、２２：マーカー、２３：直線状のマーカー片
【図１】
2014158615.tif 000003
【図２】
2014158615.tif 000004
【図３】
2014158615.tif 000005
【図４】
2014158615.tif 000006
【図５】
2014158615.tif 000007
【図６】
2014158615.tif 000008
【図７】
2014158615.tif 000009